(57)【要約】【課題】印刷紙葉の状態に依存せずに推進方向において前方の横縁部近くにおける印刷紙葉の確実な整列を可能にする、水平の装入路上において印刷紙葉を未綴じの中本に丁合する装置を提供する。【解決手段】推進要素（５）の支台面（９）を装入路（３）上で推進方向（Ｆ）に対して平行に指向させ、推進方向（Ｆ）において下流方向に指向している印刷紙葉（１２）の給紙領域（８）の端部上にいずれも中本（２）に対して上から随伴して作用する抑え付け装置（１３）を設置する。【選択図】図１
2009102169.tif 000002
【特許請求の範囲】
【請求項１】
印刷紙葉（１２）を収容するための周回式の牽引手段（４）上に前後に間隔をおいて取り付けられた推進要素（５）を備える推進装置（６）から形成されるとともにその上方に推進方向（Ｆ）内で前後して配置された印刷紙葉（１２）のための給紙装置（７）を備えてなり、前記推進要素（５）が少なくとも印刷紙葉（１２）の給紙領域（８）内に誘導されるとともに周回方向あるいは推進方向（Ｆ）における前端（１０）上にその推進方向（Ｆ）に対して横断方向に延在して突立しているストッパ（１１）を備えている、上下に丁合された印刷紙葉（１２）の支台面（９）によって形成される、水平の装入路（３）上において印刷紙葉（１２）を未綴じの中本（２）に丁合する装置（１）であり、前記推進要素（５）の支台面（９）を装入路（３）上で推進方向（Ｆ）に対して平行に指向させ、推進方向（Ｆ）において下流方向に指向している印刷紙葉（１２）の給紙領域（８）の端部（１４）上にいずれも中本（２）に対して上から随伴して作用する抑え付け装置（１３）を配置すること特徴とする装置。
【請求項２】
抑え付け装置（１３）は固定式に配置されることを特徴とする請求項１記載の装置。
【請求項３】
推進要素（５）の支台面（９）と抑え付け装置（１３）の間の距離（ｄ）を変更し得るように構成することを特徴とする請求項１または２記載の装置。
【請求項４】
抑え付け装置（１３）を推進要素（５）の支台面（９）に対する距離（ｄ）に関して調節可能に構成することを特徴とする請求項３記載の装置。
【請求項５】
抑え付け装置（１３）が少なくとも殆ど推進方向（Ｆ）において後続する給紙装置（７）の給紙領域（８）内まで延在することを特徴とする請求項２ないし４のいずれかに記載の装置。
【請求項６】
抑え付け装置（１３）は推進方向（Ｆ）内において間隔をおいて配置された２本の軸（１６）周りで周回する少なくとも１つのベルト（１７）の下側ベルトライン（１５）によって形成されることを特徴とする請求項５記載の装置。
【請求項７】
ベルト（１７）は外面（１８）が平滑に形成されることを特徴とする請求項６記載の装置。
【請求項８】
下側ベルトライン（１５）および／またはベルト（１７）が少なくとも推進要素（５）に近い速度を有することを特徴とする請求項６または７記載の装置。
【請求項９】
突立したストッパ（１１）が抑え付け装置（１３）の領域内に上端から下方に向かって延在する窪み部（１９）を有することを特徴とする請求項６ないし８のいずれかに記載の装置。
【請求項１０】
抑え付け装置（１３）は周回方向あるいは推進方向（Ｆ）内において推進要素（５）の前端（１０）上に配置され丁合された印刷紙葉（１２）上に作用し開閉可能に制御されるクランプ（２０）として形成されることを特徴とする請求項２記載の装置。
【請求項１１】
抑え付け装置（１３）は丁合された印刷紙葉（１２）上に弾力的に圧接可能であることを特徴とする請求項１ないし１０のいずれかに記載の装置。
【請求項１２】
抑え付け装置（１３）として空気ブロー（２１）を印刷紙葉（１２）上に誘導するノズル構成（２２）を設けることを特徴とする請求項２記載の装置。
【発明の詳細な説明】
【技術分野】
【０００１】
この発明は、水平の装入路上において印刷紙葉を未綴じの中本に丁合する装置に係り、印刷紙葉を収容するための周回式の牽引手段上に前後に間隔をおいて取り付けられた推進要素を備える推進装置から形成されるとともにその上方に推進方向内で前後して配置された印刷紙葉のための給紙装置を備えてなり、前記推進要素が少なくとも印刷紙葉の給紙領域内に誘導されるとともに、周回あるいは推進方向における先端上に前記推進方向に対して横断方向に延在して突立しているストッパを備えている、上下に丁合された印刷紙葉の支台面によって形成される。
【背景技術】
【０００２】
冒頭に述べた種類の丁合装置は、製本産業において印刷紙葉を未綴じの印刷紙葉積重ね体（中本）に丁合するために使用される。その際多様な印刷紙葉が所与の順番に従って丁合され、その後例えば無線綴じ機等の後加工装置内に移送され、そこで未加工の書籍、カタログ、パンフレット等の印刷物として綴じられる。そのため従来の技術による丁合装置は、周回式の牽引手段上に前後に間隔をおいて取り付けられた推進要素から形成された推進装置を備え、機械サイクル毎に通常１枚の印刷紙葉を前記推進装置の推進要素に供給する給紙装置が前記牽引手段に沿って配置される。前記推進要素は実質的に、印刷紙葉が平らな面をもって載置されるかあるいは積み重ねられる支台とその支台に対して垂直に突立しいてそれによって印刷紙葉が整列されるストッパとから形成される。各給紙装置内には特定の種類の印刷紙葉が貯蔵されており、それからいずれも１枚が通過する推進要素に対して放出され、従って推進装置の末端において推進要素が個々の印刷紙葉から形成された未綴じの中本を担持する。
【０００３】
欧州特許出願公開第１７２６５５２号Ａ１明細書（特許文献１）には同様な目的のための印刷紙葉の加工用に構成された装置が記載されており、それにおいては推進方向において前端上に壁部を備えている推進要素が少なくとも推進路あるいは装入路において前記壁部に対して傾斜した支台面を有し、その際推進方向Ｌと傾斜した支台面によって形成される角度βが推進方向Ｌと給紙方向Ｆによって形成された装入角度αよりも小さくなる。この構成方式は、上方から給紙装置によって斜め下方に推進された印刷紙葉が略同じ方向の支台面の傾斜状態によって推進要素上に収容されるという原理に基づいている。
【０００４】
しかしながら、この装置による実験によって、印刷紙葉の丁合に際して特に各印刷紙葉が重量の点で大きく異なったものである場合に推進要素の支台面の傾斜状態が不十分であることが確認された。支台面に例えば軽い印刷紙葉が給入されその後その上に比較的重い印刷紙葉が押し載せられると、その押し載せられた印刷紙葉が摩擦結合のためにその下に存在している印刷紙葉を前端領域においてストッパに沿って支台面から押し出す現象が生じる。
【０００５】
この現象は国際公開第２００７／０８５１０１号Ａ１パンフレット（特許文献２）の実施形態によっても回避することができず、それは周回軌道に沿って駆動される推進要素の支台面が少なくとも印刷紙葉の給紙領域内において推進方向に対して傾斜して形成されるか、あるいは傾斜状態に転換されることが規定されているためである。推進要素の支台面の傾斜状態は推進要素内への印刷紙葉の移動軌道に対しては効果的であり得る。
【０００６】
上記の欧州特許出願公開第１７２６５５２号Ａ１明細書（特許文献１）および国際公開第２００７／０８５１０１号Ａ１パンフレット（特許文献２）は、推進要素の支台面上への印刷紙葉の装入および整列された丁合が傾斜状態によって補助され得ることを前提としている。しかしながらそのことは正しい理論ではなく、その理由は、経験上傾斜した推進要素の支台面上において印刷紙葉は確実に整列されず、推進要素上に安定的に丁合されないためである。
【０００７】
【特許文献１】欧州特許出願公開第１７２６５５２号Ａ１明細書
【特許文献２】国際公開第２００７／０８５１０１号Ａ１パンフレット
【発明の開示】
【発明が解決しようとする課題】
【０００８】
従って本発明の目的は、印刷紙葉の状態に依存せずに推進方向において前方の横縁部近くにおける印刷紙葉の確実な整列を可能にする、冒頭に述べた種類の装置を提供することである。
【０００９】
本発明は、各種の印刷紙葉を捕捉して確実に後続の加工ステーションに移送することができる、全く別の意外な方式に係る。
【課題を解決するための手段】
【００１０】
本発明によれば前記の課題は、推進要素の支台面を装入路上で推進方向に対して平行に指向させ、推進方向において下流方向に指向している印刷紙葉の給紙領域の端部上にいずれも中本に対して上から随伴して作用する抑え付け装置を設置することによって解決される。
【発明を実施するための最良の形態】
【００１１】
次に、本発明によって提案される装置について、添付図面および複数の実施例を参照しながらさらに詳細に説明する。図中には詳細な説明中では言及されない詳細部も示されている。
【００１２】
図１に示された印刷紙葉１２を未綴じの中本２に丁合するための装置１は、水平な装入路３上に印刷紙葉１２を収容するために周回式の牽引手段４上に間隔をおいて前後に取り付けられた推進要素５から形成された推進装置６を備えている。推進装置６の上方で推進方向Ｆ内において前後して配置された給紙装置７が例えば印刷紙葉１２を収容するためのマガジン２３と個別化装置２４と給紙推進器２５を備えている。個別化装置２４によっていずれも一番下の紙葉が吸引装置を使用して残りの積重ね体から引き離されて把持され積重ね体の下方に分離されるとともに給紙推進器２５によって受容される。推進装置の推進方向Ｆに対して鋭角αをもって設置された給紙推進器２５は給紙方向と推進方向Ｆから形成された給紙領域８内で印刷紙葉１２を推進装置６の推進要素５に移送する。上下に積重ねて丁合された印刷紙葉１２のための支台面９を備えた推進要素５は、周回方向あるいは推進方向Ｆ内における前端部１０上で前記推進方向Ｆに対して横断方向に延在する突立したストッパ１１を備えて形成されている。装入路３上において推進要素５の支台面９が推進方向Ｆに対して少なくとも略平行に指向していることが好適である。推進装置６によって供給される印刷紙葉１２の速度は、支台面あるいは推進要素５への放出の間に推進装置６の速度よりも高いことが好適である。それによって印刷紙葉１２が給紙領域８内において推進要素５のストッパ１１上に当接するか、あるいはストッパ１１上で整列される。推進方向Ｆにおいて下流側に指向している給紙領域８の前端１４上には、いずれも推進要素５上に存在している印刷紙葉１２に上方から随伴して作用する固定式の抑え付け装置１３が配置され、それらは少なくとも殆ど推進方向Ｆ内において後続している給紙装置７の給紙領域８内まで延在する（図２参照）。この実施形態において抑え付け装置１３は、推進方向Ｆ内において間隔をおいて配置された２本の軸１６周りで周回する少なくとも１つのベルト１７の下側ベルトライン１５によって形成されている。前記下側ベルトライン１５あるいは抑え付け装置１３の速度は推進方向Ｆ内において少なくとも推進装置６の速度と同じくらい高いものとなる。中本２とベルト１７の間の摩擦力を最小化するために、ベルトの外面１８は平滑に形成されている。推進要素５内の未綴じの中本２の厚み誤差を補償するために、抑え付け装置１３は圧力をもって弾力的に中本２に対して調節される。前記の圧力はバネ２８あるいは液圧シリンダによって形成することができる。丁合工程の間に中本２は給紙される各印刷紙葉１２に従って厚くなる。その厚み変化を補償するために、抑え付け装置１３の高さおよび／または推進要素５の支台面９の高さを調節することによって推進要素５の支台面９と抑え付け装置１３との間の距離ｄを変更し得るように形成されている。図２においては抑え付け装置１３が例えば固定式のガイド機構２６を使用して推進要素５の支台面９に対して方向Ｖに調節可能に構成されている。図５によれば突立している推進要素５のストッパ１１を抑え付け装置１３あるいはベルトライン１５が貫通しており、従って抑え付け装置１３の領域内に上端から下方に延在する窪み部１９が設けられている。
【００１３】
別の抑え付け装置１３の実施形態が図３に示されている。空気ブロー２１を生成するノズル機構２２を使用して印刷紙葉１２が互いに上下にならびに推進要素５の支台面９に対して圧接される。それによって生成された応力が一方で各印刷紙葉１２の間と他方で支台面９と中本２の間に摩擦力を形成し、それが印刷紙葉１２あるいは中本２のずれを防止する。
【００１４】
図４に示されている別の実施形態においては、周回方向あるいは推進方向Ｆ内において推進要素５の前端１０上に配置され丁合された印刷紙葉１２に対して上方から作用し開閉可能に制御されるクランプ２０によって抑え付け装置１３が形成されている。１つの推進要素５が給紙領域８に到達する前にクランプ２０が開放され、それによって印刷紙葉１２を推進要素５のストッパ１１に供給することができる。その印刷紙葉１２が（整列されて）ストッパ１１上に接合すると、クランプ２０が閉鎖される。この工程が各給紙装置７において繰り返される。クランプ２０を制御するために給紙領域８に対して制御レール２７が設けられ、それによってクランプ２０をいずれもクランプバネ３０によって生成されるクランプ力に対抗して解放することができる。追加的に制御され推進要素５と連動する抑え付け器２９はクランプ２０が開放されている際に中本２を支台面９に対して支持することができ、それによって中本２あるいはその一部のずれを防止する。抑え付け器２９を支台面９に対して予荷重され、その際抑え付け器２９の付勢は、クランプ２０の制御についての記述と同様に、図示されていないアナログ手段によって実施することができる。しかしながら前記抑え付け器２９は必ずしも推進要素５上に固定する必要はない。また抑え付け器２９を推進要素５と同期して動作するシステム、例えば周回式の牽引手段上に固定することも考えられる。
【図面の簡単な説明】
【００１５】
【図１】印刷紙を丁合するための装置の側面を示した構成図である。
【図２】第１の実施例に従った抑え付け装置を示した構成図である。
【図３】第２の実施例に従った抑え付け装置を示した構成図である。
【図４】第３の実施例に従った抑え付け装置を示した構成図である。
【図５】推進方向に対して横断方向に沿った丁合装置の断面図である。
【符号の説明】
【００１６】
１  装置
２  中本
３  装入路
４  牽引手段
５  推進要素
６  推進装置
７  給紙装置
８  給紙領域
９  支台面
１０  前端
１１  ストッパ
１２  印刷紙葉
１３  抑え付け装置
１４  端部
１５  ベルトライン
１６  軸
１７  ベルト
１８  外面
１９  窪み部
２０  クランプ
２１  空気ブロー
２２  ノズル機構
２３  マガジン
２４  個別化装置
２５  給紙推進器
２６  ガイド機構
２７  制御レール
２８  バネ
２９  抑え付け器
３０  クランプバネ
【図１】
2009102169.tif 000003
【図２】
2009102169.tif 000004
【図３】
2009102169.tif 000005
【図４】
2009102169.tif 000006
【図５】
2009102169.tif 000007